(57)【要約】【課題】従来の多回線移報装置が接続された監視設備において試験を行ったような場合には、信号が移報装置に接続された全設備に出力され、無用な混乱を引き起こしてしまう。【解決手段】多回線移報装置が出力する複数の回線の中から特定の回線を選択する選択スイッチと、その選択スイッチの選択操作により上記選択された回線を除く他の回線への信号の出力経路を遮断して計時を開始し、所定時間の計時が完了すると出力経路の遮断を解除する選択時限出力遮断手段とを設けた。また、選択時限出力遮断手段には、選択された特定の回線を表示する表示器を設けた。【選択図】  図１
2010122923.tif 000002
【特許請求の範囲】
【請求項１】
監視設備から出力される信号を複数の回線に分配して出力する多回線移報装置において、
複数の回線の中から特定の回線を選択する選択スイッチと、該選択スイッチの選択操作により当該回線を除く他の回線への信号の出力経路を遮断して計時を開始し、所定時間の計時が完了すると前記出力経路の遮断を解除する選択時限出力遮断手段とが設けられていることを特徴とする多回線移報装置。
【請求項２】
請求項１記載の多回線移報装置において、前記選択時限出力遮断手段には、選択された特定の回線を表示する表示器が設けられていることを特徴とする多回線移報装置。
【発明の詳細な説明】
【技術分野】
【０００１】
本発明は、監視設備から出力される信号を複数の回線に分配して出力する多回線移報装置に関する。
【背景技術】
【０００２】
監視設備には、火災の発生を監視する火災監視設備や、賊の侵入を監視する防犯監視設備などがある。これらの監視設備には、必要に応じて多回線移報装置が設けられる（例えば、特許文献１参照）。
例えば火災監視設備に接続された多回線移報装置１０は、火災監視設備の火災受信機Ｒから代表移信信号が入力すると、図３に示すように、この信号をリレーＬの常開接点ｌ１，ｌ２，ｌ３，ｌ４により、エレベータの制御盤や警備機器の制御盤あるいは警備会社の監視センターへの通報装置等の複数設備の回線ｍ１，ｍ２，ｍ３，ｍ４に出力する。
【０００３】
【特許文献１】特開平７-１８２５７５号公報（第１図）
【発明の開示】
【発明が解決しようとする課題】
【０００４】
このような多回線移報装置が接続された火災受信機において、火災試験を行ったような場合には、代表移信信号が移報装置に接続された出力回線を介して全設備に出力され、例えばエレベータの緊急停止、自動扉の強制開放、警備会社への通報等の想定外の出力動作が行われて無用な混乱を引き起こしてしまう。そこで、このような多回線移報装置が接続された火災受信機において火災試験を行うような場合には、予め火災受信機側において移信停止状態に設定し、多回線移報装置には代表移信信号が出力されないようにして試験を行っていた。
【０００５】
しかし、警備会社への通報を含めた火災試験を行いたいような場合には、多回線移報装置内にある警備会社への通報線路以外の他設備への出力線路を予め外しておくより方法が無かったので、実際はなかなか実施が困難であった。また、敢えてそのような処置をした上で実施すると、試験後に外した出力線路を戻し忘れたり、配線を間違えたりする虞があった。
【課題を解決するための手段】
【０００６】
請求項１記載の発明は、監視設備から出力される信号を複数の回線に分配して出力する多回線移報装置において、複数の回線の中から特定の回線を選択する選択スイッチと、その選択スイッチの選択操作により当該回線を除く他の回線への信号の出力経路を遮断して計時を開始し、所定時間の計時が完了すると出力経路の遮断を解除する選択時限出力遮断手段とが設けられた構成としている。
【０００７】
請求項２記載の発明は、請求項１記載の多回線移報装置において、前記選択時限出力遮断手段には、選択された特定の回線を表示する表示器が設けられた構成としている。
【発明の効果】
【０００８】
本発明は、上記請求項１記載の構成によれば、複数の回線の中から特定の回線を選択する選択スイッチと、その選択スイッチの選択操作により当該回線を除く他の回線への信号の出力経路を遮断して計時を開始し、所定時間の計時が完了すると出力経路の遮断を解除する選択時限出力遮断手段とが設けられているので、例えば警備会社への通報を含めた火災試験を行いたいような場合には、多回線移報装置内にある警備会社の回線に対応する選択スイッチを操作すると、それ以外の他設備の回線への出力は遮断されるので、簡単確実に試験準備をすることができ、また、所定時間が来ると自動的にすべての回線へ通報可能な状態に完全に復帰させることができる。
【０００９】
また、上記請求項２記載の構成によれば、時限選択開放制御器には、選択された回線を表示する表示器が設けられているので、回線を間違えることなく安心確実に操作することができる。
【発明を実施するための最良の形態】
【００１０】
つぎに、本発明の実施の形態を図面を参照して説明する。図１は本発明による多回線移報装置の全体構成を示すブロック図である。
【００１１】
図１では、本発明による多回線移報装置１を火災監視設備における火災受信機Ｒに接続した場合を示している。すなわち、火災受信機Ｒの移信リレーＬＲが付勢されると、その常開接点ｌｒが閉じられる。すると、この常開接点ｌｒを介して多回線移報装置１の電源からリレーＬに電流が流れてリレーＬが付勢され、これに付属する複数の常開接点ｌ１，ｌ２，ｌ３，ｌ４が閉じられる。すなわち、エレベータの制御盤に信号を送る回線ｍ１に接続された常開接点ｌ１や、警備機器の制御盤に信号を送る回線ｍ３に接続された常開接点ｌ３、あるいは、警備会社の監視センターへの通報装置に信号を送る回線ｍ２に接続された常開接点ｌ２を閉じて信号を出力する。ここまでは上記従来の多回線移報装置の構成と同様である。
【００１２】
本発明による多回線移報装置１は、上記構成に加えて各回線の常開接点ｌ１，ｌ２，ｌ３，ｌ４に直列に各々常閉接点ｎ１，ｎ２，ｎ３，ｎ４が接続されている。これら常閉接点ｎ１，ｎ２，ｎ３，ｎ４は、時限選択開放制御器Ｇによって制御される。この時限選択開放制御器Ｇには回線毎に選択スイッチｓ１，ｓ２，ｓ３，ｓ４が設けられており、或る回線ｍの選択スイッチを操作すると、その回線の常閉接点ｎを残し、それ以外の回線ｍの常閉接点ｎは全て開放される。
【００１３】
ここで、選択スイッチｓ１，ｓ２，ｓ３，ｓ４は、その操作信号が時限選択開放制御器Ｇの内部で保持されるので、操作したときだけ閉じ、直ぐに元の位置に復旧するノンロックタイプのスイッチとする。そのほかに時限選択開放制御器Ｇには、所定時間の計時を行うタイマーＴが設けられていて、開放された常閉接点ｎは、タイマーＴによって所定時間が来ると常閉側に戻される。ここで、上記所定時間とは、例えば火災試験を実施するのに通常想定される時間のように、本発明による多回線移報装置１に接続される監視設備の試験を完了するのに要する時間以上の時間とする。
【００１４】
また、時限選択開放制御器Ｇは、常閉接点ｎの制御を行うと同時に、何れの選択スイッチｓが操作されたのかを表示する表示器Ｐ１，Ｐ２，Ｐ３，Ｐ４を点灯させる。すなわち、各選択スイッチｓ１，ｓ２，ｓ３，ｓ４にはどの回線あるいは設備に移報信号を出力するのか回線名あるいは設備名が明示され、かつ、各スイッチｓ１，ｓ２，ｓ３，ｓ４に対応した表示器Ｐ１，Ｐ２，Ｐ３，Ｐ４が設けられている。したがって、ある選択スイッチｓ操作されるとそれに対応した表示器Ｐが点灯して、何れの回線あるいは設備に対して操作が行われたのかを明示するようになっている。
【００１５】
つぎに、本発明による多回線移報装置１の使用例を火災監視設備の火災受信機Ｒに接続した場合について、図２のブロック図に基づいて説明する。
すなわち、本発明による多回線移報装置１が接続された火災受信機Ｒにおいて火災試験を行うような場合には、警備会社の監視センターへの通報装置に信号を送る回線ｍ２を選択する選択スイッチｓ２を操作する。すると、時限選択開放制御器Ｇは、警備会社の監視センターへの通報装置に信号を送る回線ｍ２に接続された常閉接点ｎ２を残してそれ以外の回線の常閉接点ｎは全て開放させる。この操作によって、時限選択開放制御器Ｇは上記のような開放制御を行うと同時に、警備会社の監視センターへの通報装置に信号を送る回線ｍ２に対応した表示器Ｐ２を点灯させて、回線名あるいは設備名と共にその回線ｍ２に対して操作が行われたことを明示する。
【００１６】
このように準備をした後で、火災受信機Ｒにおいて火災試験を実施すると、火災受信機Ｒの移信リレーＬＲが付勢され、その常開接点ｌｒが閉じられる。すると、この接点ｌｒを介して多回線移報装置１の電源からリレーＬに電流が流れて付勢され、これに付属する各回線の常開接点ｌ１，ｌ２，ｌ３，ｌ４が閉じられる。すなわち、エレベータの制御盤に信号を送る回線ｍ１に接続された常開接点ｌ１や、警備機器の制御盤に信号を送る回線ｍ３に接続された常開接点ｌ３、あるいは、警備会社の監視センターへの通報装置に信号を送る回線ｍ２に接続された常開接点ｌ２を閉じる。
【００１７】
しかし、先の操作によって、警備会社の監視センターへ信号を送る回線ｍ２に接続された常閉接点ｎ２を残して、それ以外の回線の常閉接点ｎ１，ｎ３，ｎ４は全て開放されているので、各回線の常開接点ｌ１，ｌ３，ｌ４が閉じられても信号が送られることはない。したがって、常閉接点ｎ２がそのまま閉じられている警備会社の監視センターへ信号を送る回線ｍ２にのみ信号が送られる。
【００１８】
そして、火災試験が終了して火災受信機の移信リレーＬＲの復旧によりリレーＬへの電流が流れなり、リレーＬが消勢されると、閉じられていた各回線の常開接点ｌ１，ｌ２，ｌ３，ｌ４も開放される。さらに、暫くして時限選択開放制御器ＧのタイマーＴが所定時間の計時を終了するので、開放されていた常閉接点ｎ１，ｎ３，ｎ４も常閉側に戻される。これにより、多回線移報装置Ｇは、選択スイッチｓ２が操作される以前の状態に自動的に復旧する。
【００１９】
なお、以上の実施態様においては、信号の発信手段としてリレーを用いた例を示したが、これに代わって半導体回路によるスイッチ手段等を用いても、その作用効果に替わるところはない。
【図面の簡単な説明】
【００２０】
【図１】本発明による多回線移報装置の全体構成を示すブロック図である。
【図２】本発明による多回線移報装置の使用例を示すブロック図である。
【図３】従来の多回線移報装置の全体構成を示すブロック図である。
【符号の説明】
【００２１】
Ｒ                      火災受信機
ＬＲ                    移信リレー
ｌｒ                    常開接点
Ｌ                      リレー
ｌ１，ｌ２，ｌ３，ｌ４  常開接点
ｍ１，ｍ２，ｍ３，ｍ４  回線
１                      多回線移信装置
ｓ１，ｓ２，ｓ３，ｓ４  選択スイッチ
ｎ１，ｎ２，ｎ３，ｎ４  常閉接点
Ｔ                      タイマー
Ｇ                      時限選択開放制御器
Ｐ１，Ｐ２，Ｐ３，Ｐ４  表示器
【図１】
2010122923.tif 000003
【図２】
2010122923.tif 000004
【図３】
2010122923.tif 000005